(57)【要約】  グラフィックイメージをキュースポーツクロスに印刷し、ベッドクロスとクッションクロスとを含んだクロスレイアウトを形成させる方法が提供される。この方法はベッドクロスとクッションクロスの望む寸法をデジタルコンピュータに入力し、デジタルイメージにアクセスし、デジタルイメージをスケール処理及び分割処理し、イメージをクロスに印刷する。イメージはベッドクロス部分とクッションクロス部分とに分割されている。イメージはデジタルプリンタと適当なインキを使用して印刷される。テーブルに張り付けられるとベッドクロスとクッションクロスはコーディネートし、それぞれのイメージが連結される。
2005510638.tif 000002
【特許請求の範囲】
【請求項１】
グラフィックイメージをキュースポーツクロスに印刷し、ベッドクロスとクッションクロスとを含んだクロスレイアウトを提供する方法であって、
a) ベッドクロスとクッションクロスの希望サイズデータをデジタルコンピュータに供給するステップと、
b)デジタルイメージにアクセスするステップと、
c)デジタルイメージをスケール処理及び分割処理してイメージをクロスに印刷できるようにし、その際にイメージの一部をベッドクロス上に、イメージの一部を少なくとも１枚のクッションクロス上に提供するステップと、
d)デジタル印刷装置と適当なインクとを使用して、ベッドクロスとクッションクロスとを提供するように一連のイメージを有した１枚の印刷クロスを提供するものであり、カット分割されてキュースポーツテーブルにフィットさせる際にベッドクロスとクッションクロスとをそれぞれのイメージ部分がコーディネートした印刷イメージを提供するステップと、
を含んでいることを特徴とする方法。
【請求項２】
クロスは羊毛を含んでおり、好適には５０％以上、さらに好適には７０％以上含んでいることを特徴とする請求項１記載の方法。
【請求項３】
印刷ステップで使用するインクは顔料、化学反応性染料、酸性染料、及びそれらの混合物から選択されることを特徴とする請求項１または２に記載の方法。
【請求項４】
クロスはフェルト加工されており、織羊毛フェルト、不織羊毛フェルト、及び軽フェルト加工梳毛織クロスから選択されることを特徴とする請求項１から３のいずれかに記載の方法。
【請求項５】
クロスは織クロスであることを特徴とする請求項１から４のいずれかに記載の方法。
【請求項６】
クロスは非パターン化または非染色クロスであることを特徴とする請求項１から５のいずれかに記載の方法。
【請求項７】
印刷ステップ後にクロスには蒸気処理と洗浄処理が施されることを特徴とする請求項１から６のいずれかに記載の方法。
【請求項８】
印刷イメージはベッドクロスのイメージと、コーディネートするクッションクロスのイメージとを有していることを特徴とする請求項１から７のいずれかに記載の方法。
【請求項９】
クロスには補助線またはマーキングがさらに施されており、該補助線またはマーキングはクロスがカット分割されてテーブルに張り付けられると隠れるように位置にポジショニングされており、該補助線またはマーキングは該張り付け作業を補助する目的で提供されていることを特徴とする請求項１から８のいずれかに記載の方法。
【請求項１０】
パターン化されたベッドクロスとクッションクロスとを含んだレイアウトを印刷した羊毛製キュースポーツクロスであって、少なくとも１枚のクッションクロスは該ベッドクロスとパターンがコーディネートするように提供されていることを特徴とするキュースポーツクロス。
【請求項１１】
補助線またはマーキングがさらに印刷されており、該補助線またはマーキングはテーブルへのベッドクロスとクッションクロスの張り付け作業で利用されることを特徴とする請求項１０記載のキュースポーツクロス。
【請求項１２】
補助線またはマーキングは張り付け作業時には可視であり、張り付け作業後には隠れるように提供されていることを特徴とする請求項１１記載のキュースポーツクロス。
【請求項１３】
マーキングはベッドと、対応するクッションとの両方に適用された対応マーキングの形態で提供されており、クッションのそれぞれの印刷領域をテーブルの設計位置に正確に配置させるように提供されていることを特徴とする請求項１１または１２に記載のキュースポーツクロス。
【請求項１４】
対応するマーキングは、それぞれのクッションクロスの彩色コード化境界部及びクッションクロスが配置されるベッドクロスの周囲の対応する彩色バンドの形態で提供されることを特徴とする請求項１３記載のキュースポーツクロス。
【請求項１５】
マーキングはテーブルの使用時に可視である領域または方形部のエッジを定義する整合線の形態で提供されることを特徴とする請求項１１から１４のいずれかに記載のキュースポーツクロス。
【請求項１６】
補助線と彩色境界領域は組み合わされ、単色背景に印刷された彩色補助線を含んでいることを特徴とする請求項１５記載のキュースポーツクロス。
【請求項１７】
請求項１１から１６の印刷クロスレイアウトで提供されたベッドクロスとクッションクロスを利用したプールまたはスヌーカテーブル。
【発明の詳細な説明】
【技術分野】
【０００１】
本発明はキュースポーツテーブルにフィットするカスタム印刷羊毛クロスレイアウトを製造するためのデジタルイメージ創出と印刷技術の適用に関する。
【背景技術】
【０００２】
布地を退色性染料で染色し、その退色染料を脱色させることができる脱色剤を含んだ印刷ペーストを布地にシルクスクリーン印刷し、退色性染料を脱色させて新色で染め直すプロセスによって染色羊毛製ゲームテーブルクロスに印刷する技術は知られている。そのようなプロセスは英国特許２３１１０７９で解説されている。このプロセスの利用にはいくつかの問題点がある。シルクスクリーンプロセスは面倒である。なぜなら利用者が好むであろうクロスのそれぞれのレイアウトに応じて複数のシルクスクリーンを保存しなければならないからである。さらに比較的にイメージが不揃いな製品となり、限定されたイメージ提供能力となる。
【０００３】
ポリエステル製ゲームテーブルクロス等に印刷するプロセスも知られている。デザインは昇華プロセスで紙基材からポリエステルクロス表面に転写印刷される。デザインそのものはインクジェットプリンタで紙上に印刷される。このタイプのプロセスは羊毛クロスあるいは主成分が羊毛である混毛クロスには利用できない。従ってキュースポーツクロスには適さない。ポリエステルはキュースポーツクロスは向かない。なぜならこの種のクロスは染みやタバコの焼け焦げに弱いからである。
【０００４】
布地に、例えば布サンプル製造を目的として印刷パターンを提供するインクジェット技術は知られている。
【０００５】
テーブルのベッド部とクッション部に印刷クロスが提供されたキュースポーツテーブルの“大量カスタム製品提供”の需要が存在する。特に、キュースポーツテーブルのベッドクロスに模様が印刷されるとき、単色クッションクロスにマッチするようにベッドクロスに単色縁部を提供しなければならない問題に対する解決策が望まれている。従来の印刷方法はベースクロスとクッションクロス上でマッチするパターンを印刷する利用性が高い方法を提供してこなかった。理由は、例えばクロスをベースとクッションに取り付ける際にパターンが異なる部分を整合させるには技術的困難が伴うからである。
【発明の開示】
【０００６】
本発明に従えば、キュースポーツクロス上にグラフィックイメージを印刷するプロセスが提供される。このプロセスはベッドクロスとクッションクロスを含んだクロスレイアウトを提供し、
a)ベッドクロスとクッションクロスの希望サイズデータをデジタルコンピュータに供給するステップと、
b)デジタルイメージにアクセスするステップと、
c)デジタルイメージをスケール処理及び分割処理してイメージをクロスに印刷できるようにするが、その際、イメージの一部をベッドクロス上に、イメージの一部を少なくとも１枚のクッションクロス上に提供するステップと、
d)デジタル印刷装置と適当なインクとを使用して、ベッドクロスとクッションクロスとを提供するように一連のイメージを有した１枚の印刷クロスを提供するものであり、カット分割されてキュースポーツテーブルにフィットさせる際にベッドクロスとクッションクロスとをそれぞれのイメージ部分がコーディネートした印刷イメージを提供するステップ、
を含んでいる。
【０００７】
有利には、このプロセスはベッドクロスとクッションクロスを含んだキュースポーツクロスレイアウトを印刷するのに利用される。このキュースポーツクロスは重量の大部分が羊毛であり、このプロセスは、
a)ベッドクロスとクッションクロスの希望するサイズデータをコンピュータに供給するステップと、
b)イメージのサイズ及び望むベッドクロスのサイズの要素である鮮明度で保存手段にデジタルイメージを受領するステップと、
c)選択スケールとポジショニングで羊毛クロス上にイメージを印刷するようにデジタルイメージを修正し、印刷レイアウト内で羊毛クロスの無駄となる部分を最低限とするステップと、
d)デジタル印刷装置と適当なインキとを使用して羊毛クロスに印刷し、ベッドクロスとクッションクロス要素とを含んだ印刷イメージを有した１枚の印刷羊毛クロスを提供し、カット分割されてキュースポーツテーブルにフィットさせる際にベッドクロスとクッションクロスの印刷イメージがコーディネートして望む印刷クロスデザインを提供するステップと、
を含んでいる。
【０００８】
有利にはクロスは羊毛を含んでおり、好適には５０％以上の羊毛を含んでおり、さらに好適には７０％以上の羊毛を含んでいる。
【０００９】
好適にはこのプロセスは約１８０dpi以上の解像度でクロス上にイメージを印刷する。好適な解像度は約３６０dpi以上であり、約７２０dpi以上がさらに望ましい。一般的には布目が細かいほどこの範囲で高い解像度となる。オリジナルのイメージ解像度はスケール処理が実行された後に望むレベルの解像度を提供するように選択される。印刷に使用されるインクは顔料あるいは化学反応性染料または酸性染料その他の着色剤を含んだものであり、適切な処理でクロスに直接的に染まるものである。有利にはこの印刷クロスはキュースポーツテーブルで使用される。有利には、この印刷はコンピュータ制御デジタルプリンタを使用して実行される。このプロセスはデザインの頻繁な変更を安価に提供するオプションをも提供する。
【００１０】
クロスは好適にはフェルト処理されたものであり、普通は羊毛織フェルト、羊毛不織フェルトや軽フェルト処理梳毛織物から選択される。好適には織布である。なぜなら織布は耐久性が高く、高品質表面を提供し、良好な印刷を提供する。なぜなら使用中に編フェルトほどは痛まないからである。好適にはイメージが印刷される羊毛クロスは非パターン化されたクロスあるいは非染色クロスであるが、このプロセスを染色済み、あるいは他の技術で印刷されたクロスの印刷に利用することも可能である。
【００１１】
染色剤を含有したインクが使用されるときにはクロスは好適には印刷後にスチーム処理され、染色剤をクロス繊維と化学反応させ、その後に洗浄して余剰の非反応染色剤を水洗する。これで良好な染料の直染状態が得られ、必要な高品質の洗濯性と製品の耐久性が提供される。
【００１２】
オプションとして印刷処理後にクロスに仕上げ処理が施される。
【００１３】
前述のスケール処理に加えて、スキャン処理されたデジタルイメージをデジタル的に修正し、このプロセスに適したインクと選択された印刷技術の特定の組み合わせによってさらに適した処理とすることができる。当業技術者であれば多くのそのような修正アルゴリズムがデジタル印刷分野で知られており、インクと基材の特定の組み合わせに対して自由に選択することができることを承知している。
【００１４】
好適には印刷イメージはベッドクロスのイメージ部分と、全クッション部分上でコーディネートするイメージ部分とを有している。
【００１５】
有利には補助線あるいはマーキングもクロス上に印刷されるが、補助線あるいはマーキングはクロスがカットされてテーブルにフィットされると隠れるようにポジショニングされる。それら補助線やマーキングはテーブルベッドやクッションの取り付け作業を助けるためのものである。
【００１６】
本発明の別な特徴によればパターンが入ったベッドクロスとクッションクロスとを含んだレイアウトが印刷された羊毛キュースポーツクロスが提供される。少なくとも１枚のクッションクロスはベッドクロスとコーディネートするようにパターン化されている。
【００１７】
キュースポーツテーブルベッドとクッションの取り付けを助けるために補助線とマーキングをクロス上に印刷することができる。特にマーキングはテーブル上にベッドクロスの印刷イメージをセンタリングさせる助けを提供する。あるいはテーブルの少なくとも１辺にイメージを整合させる助けを提供する。補助線はクロスの異なる伸張性による歪みを補正する助けを提供する。マーキングは布の起点を示すこともでき、需要者及び/又はキュースポーツテーブル位置の情報を含むこともできる。
【００１８】
好適には補助線とマーキングはベッドやクッションにクロスがフィットされ、キュースポーツテーブルが提供されると隠れるように提供される。
【００１９】
対応するマーキングがベッドクロスとクッションクロスの両方に提供される。これらマーキングはクッションクロスである６枚の印刷領域のそれぞれがテーブルの正しい位置でフィットするようにさせるものである。そのような対応マーキングの利点はクッションクロスがキュースポーツテーブル周囲のクッションクロスの最終ポジションを示すレイアウトでのポジションではなく、クロスレイアウト領域での利用を最良化するポジションで印刷を可能にさせることである。好適にはマーキングはテーブルが使用中に見える領域/方形部の辺を提供する整合線の形態で提供される。
【００２０】
対応マーキングの特に好適な実施例では、それぞれのクッションクロスの１辺上の彩色コード化された境界線と、そのクッションクロスが配置されるベースクロス周辺上の対応する彩色バンドの形態で提供される。彩色マーキングはクッションクロスとベースクロスがテーブルにフィットされた後には隠れるようにアレンジされる。最も好適にはベッドクロスの均等な伸張を助ける補助線と彩色境界領域は、彩色補助線を印刷し、または適当な色彩の単色背景上に補助線を印刷することが組み合わせて提供される。
【００２１】
本発明の別な特徴によれば、本発明の方法による印刷クロスレイアウトによって製造されたベッドクロスとクッションクロスが利用されたプールテーブルまたはスヌーカテーブルが提供される。
【発明を実施するための最良の形態】
【００２２】
本発明を実施例並びに添付図面を利用してさらに詳細に解説する。
【実施例１】
【００２３】
１０ｃｍｘ１６ｃｍのサイズの会社ロゴの写真イメージが画像操作及び処理ソフトを有したコンピュータに接続されたデジタルスキャナーでスキャン処理された。画像処理ソフトはプールテーブルにフィットするようにスケール調節することでスキャン処理されたイメージを変更した。オメージはプールテーブルベッドクロスに印刷される適正な縦横の割合ではなかったので（幅のみ適合）、イメージはミマキ製のデジタルプリンタにデータファイルを送る前に再び操作されて青い背景色に重ねられた。プリンタは酸性染料を使用した印刷ヘッドを有していた。プリンタは操作されたイメージはフェルト羊毛織クロスに印刷された。そのクロスは染色されたものではなく、普通のフェルト布であった。この印刷に先立って印刷固定剤がクロスに塗布されており、クロスは乾燥されていた。本発明はこの技術の改良をも想定している。例えば、印刷インク全部を印刷ヘッドから提供し、化学剤の印刷を排除することができる。顔料を含んだインクの使用がこれを可能にする。この例では、修正イメージが酸性染料の複数の色彩を使用してクロスに印刷された。クロスは蒸気彩色固定プロセスに回され、洗浄乾燥され、従来の乾燥仕上げ工程に回された。
【実施例２】
【００２４】
踊る動物を描いたシーンを提供するために特殊作図ソフトウェアが使用されてデジタルイメージが創出された。このイメージファイルは保存された。イメージ操作ソフトウェアが使用され、印刷対象クロスのサイズに合わせた適当なサイズと鮮明度のイメージが創出された。このデータはデジタルプリンタに入力され、酸性染料を使用してイメージが印刷された白色羊毛クロスが提供された。印刷イメージは蒸気で固定処理され、洗浄されて乾燥された。クロスはキュースポーツ布での利用に適していた。
【実施例３】
【００２５】
コンピュータ作成グラフィックイメージがレイアウトソフトウェアに入力される。オペレータは周辺部に隣接クッションクロスの可視部分をアレンジしたスヌーカテーブルベッドクロスの可視部分を示す第１テンプレートを要求する。それぞれのクッションクロスはベッドクロスの対応する辺に隣接する。実際のスヌーカテーブルの寸法がオプションでコンピュータに入力され、第１テンプレートサイズが調整され、スケール処理される。グラフィックイメージは適当にサイズ処理され、第１テンプレートに重ねられ、ベッドクロスとクッションクロスの要素がコーディネートしたパターンが提供される。グラフィックイメージと第１テンプレートの並置はデジタル式に第２テンプレートに移される。第２テンプレートはベッドまたはクッションにフィットさせるそれぞれの要素の境界領域を含んだ要素の印刷されたレイアウトを提供する。第２テンプレートに提供されたこのレイアウトはデジタルプリンタを使用して適当な羊毛クロスに印刷される。図１はスヌーカテーブル用の方形布２を斜めにグラデーションしたグラフィックイメージが印刷された羊毛クロス１を示す。６枚のクッションクロス３、４、５、６、７、８は適当にシェード処理されており、布幅が最大に利用されるように、１枚のクロスが７枚の布切れにカット分割されてスヌーカテーブルにフィットされるとき、そのクロスはクッションに最良にフィットするようにポジショニングされる。
【００２６】
ベッドクロスとクッションクロスとの間のコーディネートによってベッドクロスからクッションクロスまで連続的に延びるグラフィックイメージが提供される。またベッドクロス部分のレイアウトを含んだ領域で見られるデザインモチーフまたは要素を少なくとも１クッションクロス領域に再生させた美的サイズと模様配置を提供することもできる。
【実施例４】
【００２７】
図２は実施例３と同様な方法で印刷されたプールクロス１０の一部を示す。クロスのテーブル張り作業を助けるため、プールテーブルへの張り付け作業完了時に実質的に隠れる領域で追加情報がクロス１０に印刷されている。まず作業者はベッドクロス１１と６枚のクッションクロス１８、２０、２２、２４、２６、２８の７枚のクロスを提供するようにカットする必要がある。それぞれのクロスにはマークングも印刷されている。よってこの場合ベッドクロスは６つの異なる彩色の境界部１２、１３、１４、１５、１６、１７を有している。それらはクッションがテーブルにフィット処理されると隠れるものである。それぞれのクッションクロスにはどの部分のクッションをカバーするのか、また、ベッドクロスの印刷デザインとクッションクロスの印刷デザインがどのようにコーディネートするかを示すように対応する彩色バンド１９、２１、２３、２５、２７、２９を有している。彩色バンドの代わりにクロスをどのように組み合わせてデザイン全体を構成させるのかを示す数字や印を利用することもできる。
【００２８】
ベッドクロス１１には印刷境界マーキングを提供することもできる。これらはベッドクロスの取り付け先のベッドと同一サイズの調和した方形を定義する補助線の形態で提供できる。作業者はクロスを伸張させるときにこれらの補助線を利用してクロスを引き延ばし、クロスの模様を歪めずにテーブルにフィットさせることができる。最も単純な場合には境界マーキングはパターン領域とエッジマーキング１２、１３、１４、１５、１６、１７の間の直線インターフェースでよい。あるいは、ベッドクロス１１はポケット領域またはコーナ領域とのみ関連するインデックスマーキングを含むことができる。特に、そのようなインデックスマークは重ね合わされた直線あるいは曲線の形態でよい。
【図面の簡単な説明】
【００２９】
【図１】図１は羊毛クロスに印刷されたスヌーカテーブルクロスレイアウトを示す概略平面図である。
【図２】図２は追加の設置マーキングを有して印刷されたプールテーブルクロスレイアウトを示す概略平面図である。
【符号の説明】
【００３０】
１                                印刷羊毛クロス
２                                方形布
【図１】
2005510638.tif 000003
【図２】
2005510638.tif 000004
【国際調査報告】
2005510638.tif 000005
2005510638.tif 000006
2005510638.tif 000007